(57)【要約】【課題】見たい映像等を、瞬時にリプレイすることができ、リプレイが見終わった後でも元の再生映像の続きから見ることができ、更に、リプレイ時の再生速度を適切に調整できる再生装置を提供する。【解決手段】本発明の再生装置は、動画データを再生中に、入力手段による所定の入力が行われた時点での動画データの再生位置を第１の位置として記憶し、更に、第１の位置から所定の時間戻った第２の位置を検出した上で、第２の位置から第１の位置まで再生を行う場合、第２の位置から第１の位置までの再生速度を、入力手段による所定の入力が行われる前の再生速度よりも遅くなるように調整し、第２の位置から第１の位置までの再生終了後は、動画データの再生速度を、入力手段による所定の入力が行われる前と同じにすることを特徴とする。【選択図】図２
2011211610.tif 000002
【特許請求の範囲】
【請求項１】
入力手段を備えた再生装置であって、
動画データを再生中に、
前記入力手段による所定の入力が行われた時点での前記動画データの再生位置を第１の位置として記憶し、
更に、前記第１の位置から所定の時間戻った第２の位置を検出した上で、
前記第２の位置から前記第１の位置まで再生を行う場合、
前記第２の位置から前記第１の位置までの再生速度を、前記入力手段による所定の入力が行われる前の再生速度よりも遅くなるように調整し、前記第２の位置から前記第１の位置までの再生終了後は、前記動画データの再生速度を、前記入力手段による所定の入力が行われる前と同じにする
ことを特徴とする再生装置。
【請求項２】
請求項１記載の再生装置であって、
前記動画データに音声データが付帯されている場合、前記第２の位置から前記第１の位置までの再生において、音声データを字幕で表示させる
ことを特徴とする再生装置。
【請求項３】
入力手段を備えた再生装置であって、
動画データを再生中に、
前記入力手段による所定の入力が行われた時点での前記動画データの再生位置を第１の位置として記憶する第１のステップと、
前記第１の位置から所定の時間戻った第２の位置を検出する第２のステップと、
前記第２の位置から前記第１の位置まで再生を行う第３のステップと、
前記第２の位置から前記第１の位置までの再生速度を、前記入力手段による所定の入力が行われる前の再生速度よりも遅くする第４のステップと、
前記第２の位置から前記第１の位置までの再生終了後は、前記動画データの再生速度を、前記入力手段による所定の入力が行われる前と同じにする第５のステップと、
を備えることを特徴とする再生装置の再生方法。
【発明の詳細な説明】
【技術分野】
【０００１】
本発明は、情報機器に記録した動画像等の再生に関する。
【背景技術】
【０００２】
従来、パーソナルコンピュータ（以下、パソコンと略する）にＡＶ周辺機器のＴＶチューナを接続し、パソコン側に、画像圧縮解凍プログラムをインストールすることにより、ＴＶチューナでＴＶ映像信号を受信し、受信したＴＶ映像信号をパソコンに入力してデータ圧縮処理し、さらに、この圧縮映像信号を、内蔵または外付けのハードディスク装置に格納するものがあった。
【０００３】
一方、この録画した圧縮映像信号を再生する際には、インストールした画像圧縮解凍プログラムに基づいて、圧縮映像信号を解凍し、その解凍した映像信号をパソコンから表示端末装置に出力し、録画再生映像の表示を行うものであった。
【０００４】
更に、上述のパソコンには、このような録画再生映像に関して、リプレイ（再生し終わった部分を、再び巻き戻して再生する）機能があり、ユーザが再び映像を見て何度も楽しむことができる。また、このリプレイ機能を使って、見落とした映像や、聞き取りにくい音声を再度、視聴するということも可能である。なお、こうした一連の機能は、パソコンだけでなく、テレビやレコーダ等においても、付属機能として実現されるようになっている。
【０００５】
しかしながら、上述のリプレイ機能を実行しようとする場合、一旦、巻き戻し状態にしてから、再生を行わなければならず、時間がかかるものであった。更に、リプレイ操作について余り詳しくないユーザにとっては、面倒な操作であった。
【０００６】
そこで上述の課題を解決するために、特許文献１では、見たい映像を巻き戻し無しで、瞬時にリプレイすることができ、更に、リプレイの映像を見終わった後でも、当初の再生映像の続きから見ることができるリプレイ機能を有する再生装置を提供している。
【先行技術文献】
【特許文献】
【０００７】
【特許文献１】特開平０９−２００６７７号公報
【発明の概要】
【発明が解決しようとする課題】
【０００８】
ところが、特許文献１に開示されている技術では、再生用の記録媒体の他に、リプレイ機能用の記録媒体を備えていなければ、上述のようなリプレイ機能を実行することができないという問題があった。また、当初の再生からリプレイ再生を行った場合、リプレイの再生速度については、当初の再生速度と同じでなければ、リプレイ再生を見終わった後に、当初の再生映像の続きから見ることができないという問題があった。
【０００９】
本発明の目的は、上述した問題を解決する再生装置、及び、再生方法を提供することにある。
【課題を解決するための手段】
【００１０】
本発明の再生装置は、入力手段を備えた再生装置であって、動画データを再生中に、入力手段による所定の入力が行われた時点での動画データの再生位置を第１の位置として記憶し、更に、第１の位置から所定の時間戻った第２の位置を検出した上で、第２の位置から第１の位置まで再生を行う場合、第２の位置から第１の位置までの再生速度を、入力手段による所定の入力が行われる前の再生速度よりも遅くなるように調整し、第２の位置から第１の位置までの再生終了後は、動画データの再生速度を、入力手段による所定の入力が行われる前と同じにすることを特徴とする。
【発明の効果】
【００１１】
本発明によれば、再生用の記録媒体とリプレイ機能用の記録媒体とを別々に有することなく、瞬時に見たい映像等をリプレイすることができ、リプレイが終わった後は、元の再生映像の続きから見ることができるという効果を奏する。
【００１２】
また、本発明によれば、再生時の再生速度に比べて、リプレイ時の再生速度を遅くすることができるという効果を奏する。
【図面の簡単な説明】
【００１３】
【図１】本発明に係る実施形態のブロック図である。
【図２】本発明に係る実施形態の制御フローチャート図である。
【発明を実施するための形態】
【００１４】
以下に、図面を参照して、本発明の実施形態について、詳細に説明する。図１は、本発明に係る実施形態のブロック図である。図１において、再生装置１００は、ストリーム保存部１０と、リーダー部２０と、デコーダー部３０と、表示部４０と、入力部５０と、再生状態管理部６０と、再生速度制御部７０と、再生位置制御部８０と、字幕表示制御部９０とからなる。
【００１５】
ストリーム保存部１０は、再生やリプレイの対象となる音声付き映像等をストリームデータで保存しておく領域である。なお、本実施形態では、音声付き映像等をストリームデータで保存してあるが、これに限定されることはない。
【００１６】
リーダー部２０は、再生位置制御部８０によって指定されたストリーム保存部１０にあるストリームデータを読み出す機能を有している。
【００１７】
デコーダー部３０は、リーダー部２０によって読み出されたストリームデータをデコードする機能を有する。
【００１８】
表示部４０は、デコーダー部３０によってデコードされたストリームデータを表示する機能を有する。
【００１９】
通常の再生では、ストリーム保存部１０に保存されたストリームデータをリーダー部２０が読み出し、デコーダー部３０がそのストリームデータをデコードし、表示部４０にて表示する。リーダー部２０が読み出すストリームデータの大きさ（容量）は、デコーダー部３０の処理能力により決まってくる。
【００２０】
入力部５０とは、様々な機能を実現することができるが、ここでは、本発明の主たる機能である再生中にもう一度再生したい音付き映像を再現（リプレイ機能）するための「一定時間戻りボタン」を指している。なお、入力部５０の詳細については、後述の制御フローチャートにおいて説明する。
【００２１】
再生状態管理部６０は、再生されている音付き映像等の状態を管理する。具体的には、再生されている音付き映像等の再生速度を検知したり、再生速度を再生速度制御部７０に対して指示したりする機能を有している。
【００２２】
再生速度制御部７０は、再生されている音付き映像等の再生速度える機能を有している。
【００２３】
再生位置制御部８０は、再生されている音付き映像等のどの位置を再生しているかを管理する機能等を有する。
【００２４】
字幕表示制御部９０は、再生されている音付き映像等に、再生時の音声を字幕で表示する機能を有する。
【００２５】
次に、図２の制御フローチャート図を参照しながら、再生時におけるリプレイ機能につて詳細に説明する。
【００２６】
今、ユーザが、ストリーム保存部１０に保存されているストリームデータを再生しているものとする。なお、再生の状態は、通常再生か、或いは、音声付き早送り再生のいずれかである。
【００２７】
次に、ユーザは、上述の再生状態において、何らかの理由でリプレイを行いたくなったので、入力部５０の一定時間戻りボタンを押下する（ステップＳ１０１）。なお、何らかの理由としては、上述の再生時において、聞き取りにくい箇所があったり、もう一度見たいシーンがあったりした場合等が想定される。
【００２８】
再生状態管理部６０は、上述の入力部５０の一定時間戻りボタンが押下された時点での再生状態（通常再生、或いは、音声付き早送り再生）を特定し、その状態を保存する（ステップＳ２０１）。上述の特定された状態は、状態１としておく。なお、ここでは、状態１は、２つの場合しか示さなかったが、実際には、数種類のパターンも考えられる。そして、その状態１を保存する場所については、特に限定はしないが、適当な保存場所を決定すれば良い。
【００２９】
再生位置制御部８０では、現在の再生時刻Ｔ１を特定する（ステップＳ３０１）。そして、再生位置制御部８０は、現在の再生時刻Ｔ１から、一定時間分前の再生時刻Ｔ２を計算する（ステップＳ３０３）。
【００３０】
なお、再生時刻Ｔ１は、一定時間戻りボタン押下時に再生していた時間であって、映像の先頭からある時間（何分何秒）経過した時点の時刻である。また、再生時刻Ｔ２は、再生時刻Ｔ１から一定時間前の再生時間（映像の先頭から何分何秒後）である。
【００３１】
再生位置制御部８０は、再生時刻Ｔ２から再生するように、リーダー部２０へ通知する（ステップＳ３０５）。
【００３２】
再生状態管理部６０は、上述の状態１を判別し、「音声付き早送り再生」の場合は、ステップＳ４０３へ進み、「通常再生」の場合は、ステップＳ４０５へ進む（ステップＳ４０１）。ステップＳ４０３では、再生速度制御部７０が、リプレイ対象の再生を通常速度で行うようリーダー部２０へ通知する。また、ステップＳ４０５では、再生速度制御部７０がリプレイ対象の再生を通常速度より再生速度を落として行うようリーダー部２０へ通知する。ここでも、ステップＳ２０１と同様なことが言える。本実施形態では、状態１が２通りであったため、対応するステップも２通りになったが、状態１のパターンが増えれば、それに応じて対応することとなる。
【００３３】
字幕表示制御部９０は、リプレイ対象の再生における部分の音声を字幕表示するように設定する（ステップＳ５０１）。ここまでのステップで、リプレイ対象の再生準備が整ったことになるが、ステップＳ２０１の後、ステップＳ４０１等を行い、ステップＳ３０１等を実行しても問題ない。
【００３４】
再生位置制御部８０は、リプレイ対象の再生が再生時刻Ｔ１まで行われているか検知する（ステップＳ６０１）。再生時刻Ｔ１に達していなければ、リプレイ対象の再生を継続させ、再生時刻Ｔ１に達すれば、次のステップＳ７０１へ進む。
【００３５】
再生状態管理部６０は、再生時刻Ｔ１に達したので、再生の状態１を戻すように、再生速度制御部７０と字幕表示制御部９０に通知する（ステップＳ７０１）。
【００３６】
再生速度制御部７０は、状態１の再生速度に戻し、上述の一定時間戻りボタンを押下した時点からの再生を継続するようにリーダー部２０へ通知する（ステップＳ８０１）。ここで、字幕表示制御部９０は、状態１と同様の字幕状態（有無）で再生を行うように表示部４０に通知する。
【００３７】
以上、実施形態を説明したが、特許請求の範囲に定義された本発明の広範囲な趣旨及びその範囲から逸脱することなく、これらの実施形態や具体的に様々な修正及び変更が可能である。
【符号の説明】
【００３８】
１０    ストリーム保存部
２０    リーダー部
３０    デコーダー部
４０    表示部
５０    入力部（一定時間戻りボタン）
６０    再生状態管理部
７０    再生速度制御部
８０    再生位置制御部
９０    字幕表示制御部
１００    再生装置
【図１】
2011211610.tif 000003
【図２】
2011211610.tif 000004